(57)【要約】【課題】  容易にケーブルの位置情報を確認することができるケーブル及びそのケーブルを管理するケーブル管理システムを実現する。【解決手段】  ＩＣタグを有するケーブルに関するものである。ＩＣタグをケーブルの長さ方向に複数配置し、ＩＣタグにはケーブルのＩＤコードと、ＩＣタグの位置に応じた位置情報を持たせた。【選択図】                    図１
2006127896.tif 000002
【特許請求の範囲】
【請求項１】
ＩＣタグを有するケーブルにおいて、
前記ＩＣタグは、ケーブルの長さ方向に複数配置され、ケーブルのＩＤコードと、ＩＣタグの位置に応じた位置情報を有することを特徴とするケーブル。
【請求項２】
前記ＩＣタグは、等間隔に配置されていることを特徴とする請求項１記載のケーブル。
【請求項３】
請求項１又は２記載のケーブルを管理するケーブル管理システムにおいて、
前記ケーブルを切断する際に、切断部付近のＩＣタグから前記ＩＤコードと前記位置情報を読み取るケーブルカッターと、
該ケーブルカッターの情報を保持するデータベースと、
を有することを特徴とするケーブル管理システム。
【請求項４】
請求項１又は２記載のケーブルを管理するケーブル管理システムにおいて、
前記ＩＣタグを読み、前記データベースを参照してケーブル情報を表示する表示装置を有することを特徴とする請求項３記載のケーブル管理システム。
【発明の詳細な説明】
【技術分野】
【０００１】
本発明は、ケーブルに関する情報の記録手段を備えたケーブル及びそのケーブルを管理するケーブル管理システムに関するものである。
【背景技術】
【０００２】
距離が離れた装置間にケーブルを接続する場合には、それぞれの接続先に合わせリールなどに巻かれた長尺のケーブルから必要な長さに切断し、ケーブル長や接続先等の情報をケーブルにマーキングし、装置へのケーブル接続時はそのマークを確認しながら行っている。
【０００３】
図４は従来のケーブルの構成例を示した図である。
図４で、ケーブル１ａ、１ｂ、１ｃの端に文字、記号、色等でマーキング２ａ、２ｂ、２ｃをすることによりケーブルを敷設する際にケーブルの取り違いが起こらないようにしている。
【０００４】
絶縁体や保護被覆などの表面あるいはそれらの内部にケーブルに関する情報を記録した記録手段を配置することにより、非接触で外部からケーブルに関する情報を端末のみならず中間部位でも確認することができるケーブルを示したものとして、例えば特許文献１に記載されたものがあった。
【特許文献１】特開２００３−２０３５２７号公報
【発明の開示】
【発明が解決しようとする課題】
【０００５】
しかし、従来例では次の問題点があった。
リールなどに巻かれた長尺のケーブルから何本ものケーブルを切り出して用いる場合には、必要なケーブルの長さを測るのが容易ではない。また、切り終えたケーブルを管理し、その中から必要なケーブルを選別するには、ケーブルに付されたマーキングをひとつひとつ確認しなければならないという問題点があった。
【０００６】
本発明は上述した問題点を解決するためになされたものであり、容易にケーブルの位置情報を確認することができるケーブル及びそのケーブルを管理するケーブル管理システムを実現することを目的とする。
【課題を解決するための手段】
【０００７】
このような課題を達成するために、本発明は次のとおりの構成になっている。
（１）ＩＣタグを有するケーブルにおいて、
前記ＩＣタグは、ケーブルの長さ方向に複数配置され、ケーブルのＩＤコードと、ＩＣタグの位置に応じた位置情報を有することを特徴とするケーブル。
【０００８】
（２）前記ＩＣタグは、等間隔に配置されていることを特徴とする（１）記載のケーブル。
【０００９】
（３）（１）又は（２）記載のケーブルを管理するケーブル管理システムにおいて、
前記ケーブルを切断する際に、切断部付近のＩＣタグから前記ＩＤコードと前記位置情報を読み取るケーブルカッターと、
該ケーブルカッターの情報を保持するデータベースと、
を有することを特徴とするケーブル管理システム。
【００１０】
（４）（１）又は（２）記載のケーブルを管理するケーブル管理システムにおいて、
前記ＩＣタグを読み、前記データベースを参照してケーブル情報を表示する表示装置を有することを特徴とする（３）記載のケーブル管理システム。
【発明の効果】
【００１１】
本発明によれば次のような効果がある。
ＩＣタグの位置情報から容易に適切なケーブルの切断位置を決定することができる。
また、ＩＣタグのＩＤコード及び位置情報によりケーブルを管理することができ、必要なケーブルを容易に選別をすることができる。
【発明を実施するための最良の形態】
【００１２】
以下、図面を用いて本発明を詳細に説明する。
図１は本発明に係るケーブルの一実施例を示す構成図である。
図１で、ケーブル１にはＩＣタグ１０が等間隔に配置されている。各ＩＣタグ１０には、ＩＤコードと位置情報が記録されている。ＩＤコードは、製造番号等のようにリール等に巻かれた長尺のケーブルごとに割り付けられた番号である。位置情報は、ＩＣタグの位置に応じた長さ情報である。
【００１３】
この図では、ＩＣタグ１０は１ｍの等間隔でケーブル１に配置されており、例えばＩＣタグ１０−１には、ＩＤコードとして“ＣＢＬ１“、位置情報として“１ｍ“が記録されており、ＩＣタグ１０−２００には、ＩＤコードとして“ＣＢＬ１“、位置情報として“２００ｍ“が記録されている。ＩＣタグ１０の配置は、ケーブル１の表面であっても、内部であってもよい。
その他、ＩＣタグ１０には、製造者、製造年月日、ケーブル品名、規格等のケ−ブル情報も記録しておくことができる。
【００１４】
長さが１０００ｍのケーブルがある。ケーブル１の両端のＩＣタグ１０−１、１０−１０００の位置情報は“１ｍ”、“１０００ｍ”となっている。
ＩＣタグ１０−２００の位置情報は“２００ｍ“を示しており、ＩＣタグ１０−２０１の位置情報は”２０１ｍ“を示している。この場合、ＩＣタグ１０−２００と１０−２０１の間の所定のＣＵＴ位置２０ａを切断するとケーブル長が２００ｍとなるようにＩＣタグの位置を配置している。
同様に、ＩＣタグ１０−４００の位置情報は“４００ｍ”を示しており、ＩＣタグ１０−４０１の位置情報は“４０１”を示している。この場合、ＩＣタグ１０−４００と１０−４０１の間の所定のＣＵＴ位置２０ｂを切断するとケーブル長が４００ｍとなるようにＩＣタグの位置を配置している。
【００１５】
図２は本発明に係るケーブル管理システムの実施例を示した図である。
図２で、ケーブルカッター３０は、ＩＣタグの情報の読取器も兼ねており、ケーブル１をＣＵＴ位置２０ａで切断する際に、切断部の両側のＩＣタグ１０−２００と１０−２０１からＩＤコードと位置情報を読み取る。
この図で、ケーブルカッター３０は手動のものを示しているが、自動のものであってもよい。
ケーブルカッター３０で読み取った情報は、データベース４０に送信され、保管される。
【００１６】
データベース４０に保管されたデータを利用することにより、切断されたケーブルの長さを知ることができる。
例えば、図１のケーブル１において、切断位置２０ａで切断した場合、ケーブルカッター３０はＩＣタグ１０−２００から“ＣＢＬ１−２００ｍ”、ＩＣタグ１０−２０１から“ＣＢＬ１−２０１ｍ”というＩＤコードと位置情報を読み取り、これらの情報をデータベース４０に保管する。次に、切断位置２０ｂで切断した場合、ケーブルカッター３０はＩＣタグ１０−４００から“ＣＢＬ１−４００ｍ”、ＩＣタグ１０−４０１から“ＣＢＬ１−４０１ｍ”というＩＤコードと位置情報を読み取り、これらの情報をデータベース４０に保管する。
【００１７】
データベース４０に保管されたデータを利用して関連付けを行うことにより、“ＣＢＬ１−１ｍ”と“ＣＢＬ１−２００ｍ”、“ＣＢＬ１−２０１ｍ“と“ＣＢＬ１−４００ｍ“、”ＣＢＬ１−４０１ｍ“と”ＣＢＬ１−１０００ｍ“がそれぞれ同一ケーブルの両端であり、それぞれのケーブル長が２００ｍ、２００ｍ、６００ｍであることを認識することができる。
【００１８】
また、同一のケーブル１から切り出した同じケーブル長２００ｍのケーブルであっても、ＩＣタグの位置情報が一方のケーブルは“１ｍ”と“２００ｍ”、他方のケーブルは“２０１ｍ”と“４００ｍ”であるので、切り出した一本一本のケーブルごとに別の識別符号が付されていることになり、ケーブルを選別することができる。
よって、ケーブルの両端に改めてマーキングすることなくケーブルの識別をすることができる。
【００１９】
図３は本発明に係るケーブル管理システムの他の実施例を示した図である。
図３で、表示装置５０は、ケーブル１１の端にあるＩＣタグ１０−４００の情報“ＣＢＬ１−４００ｍ”を読み取る。データベース４０に保管されている情報を参照することにより、ケーブル１１の他端のＩＣタグ１０−２０１の情報が“ＣＢＬ−２０１ｍ“であり、ケーブル長が２００ｍであることが分かるので、必要なケーブルの選別を容易にすることができる。
逆に、表示装置５０でＩＣタグ１０−２０１の情報を読み取った場合も同様に、データベース４０に保管されている情報を参照することにより、ケーブルの他端のＩＣタグ１０−４００の情報が関連付けられるので、ケーブル長が２００ｍであることが分かり、ケーブルを選別することができる。
【００２０】
また、データベース４０の情報を利用すると、“ＣＢＬ１−２０１ｍ”と“ＣＢＬ１−４００ｍ”が同一ケーブルの両端で、ケーブル長が２００ｍであることが分かるので、表示装置５０でケーブルの両端以外のＩＣタグの情報（例えば、“ＣＢＬ−３０５ｍ”）を読み取った場合でも、それが“ＣＢＬ１−２０１ｍ”と“ＣＢＬ１−４００ｍ”の間にあるので、そのケーブル長は２００ｍであることが分かる。
【００２１】
表示装置５０は、データベース４０の内容をあらかじめ取り込んだものでもよく、データベース４０との間でデータをその都度やりとりするものでもよい。
また、ケーブル切断後にＩＣタグにケーブル長、接続先等の情報を書き込むようにすれば、ケーブル敷設時等に表示装置５０でＩＣタグの情報を読み取るだけで必要なケーブルの選別を容易にすることができる。
【図面の簡単な説明】
【００２２】
【図１】本発明に係るケーブルの一実施例を示す構成図である。
【図２】本発明に係るケーブル管理システムの実施例を示した図である。
【図３】本発明に係るケーブル管理システムの他の実施例を示した図である。
【図４】従来のケーブルの構成例を示した図である。
【符号の説明】
【００２３】
１、１１  ケーブル
１０、１０−１、１０−２００、１０−２０１、１０−４００、１０−４０１、１０−１０００  ＩＣタグ
３０  ケーブルカッター
４０  データベース
５０  表示装置
【図１】
2006127896.tif 000003
【図２】
2006127896.tif 000004
【図３】
2006127896.tif 000005
【図４】
2006127896.tif 000006